【手続補正書】
【提出日】平成15年7月3日(2003.7.3)
【手続補正１】
【補正対象書類名】明細書
【補正対象項目名】発明の名称
【補正方法】変更
【補正の内容】
【発明の名称】手書きパターン処理装置及び手書きパターン処理方法


【手続補正２】
【補正対象書類名】明細書
【補正対象項目名】特許請求の範囲
【補正方法】変更
【補正の内容】
【特許請求の範囲】
【請求項１】
手書きパターンを入力する入力手段と、
前記入力された手書きパターンが、所定のジェスチャーパターンであるか判定するジェスチャー判定手段と、
繰り返し出力する文字を特定する特定手段と、
前記ジェスチャー判定手段により前記入力された手書きパターンが前記所定のジェスチャーパターンであると判定された場合、前記ジェスチャーパターンであると判定された手書きパターンの長さに基づいて、繰り返し出力する文字数を決定する決定手段と、
前記決定手段で決定された文字数だけ、前記特定手段で特定された文字を繰り返し出力する出力手段と
を備えることを特徴とする手書きパターン処理装置。
【請求項２】
前記決定手段は、前記ジェスチャーパターンであると判定された手書きパターンの長さを、前記特定手段で特定される文字の長さで割った結果に基づいて、前記繰り返し出力する文字数を決定することを特徴とする請求項１に記載の手書きパターン処理装置。
【請求項３】
前記決定手段は、前記ジェスチャーパターンであると判定された手書きパターンが横切る文字枠の個数に基づいて、前記繰り返し出力する文字数を決定することを特徴とする請求項１に記載の手書きパターン処理装置。
【請求項４】
前記ジェスチャー判定手段は、前記入力された手書きパターンの長さが所定の長さ以上であるか否かに基づいて、前記入力された手書きパターンが、所定のジェスチャーパターンであるか判定することを特徴とする請求項１に記載の手書きパターン処理装置。
【請求項５】
前記ジェスチャー判定手段は、前記入力された手書きパターンが所定の文字枠数以上にまたがっているか否かに基づいて、前記入力された手書きパターンが、所定のジェスチャーパターンであるか判定することを特徴とする請求項１に記載の手書きパターン処理装置。
【請求項６】
前記特定手段により特定された文字は、前記ジェスチャーパターンであると判定された手書きパターンが入力される直前に入力された文字であることを特徴とする請求項１に記載の手書きパターン処理装置。
【請求項７】
前記特定手段により特定された文字は、前記ジェスチャーパターンであると判定された手書きパターンの下に存在する文字であることを特徴とする請求項１に記載の手書きパターン処理装置。
【請求項８】
前記決定手段は、前記ジェスチャーパターンの長さから前記手書きパターンの下に存在する文字の長さを除いた長さを、前記特定手段で特定される文字の長さで割った結果に基づいて、前記繰り返し出力する文字数を決定することを特徴とする請求項７に記載の手書きパターン処理装置。
【請求項９】
前記ジェスチャーパターンであると判定された手書きパターンの下に文字が存在する場合は、その文字を前記繰り返し出力する文字として前記特定手段で特定し、前記ジェスチャーパターンであると判定された手書きパターンの下に文字が存在しない場合は、前記決定手段で前記繰り返し出力する文字数を決定して前記出力手段で当該決定された文字数だけ前記特定された文字を繰り返し出力することを特徴とする請求項１に記載の手書きパターン処理装置。
【請求項１０】
更に、前記ジェスチャー判定手段でジェスチャーパターンであると判定されなかった手書きパターンを文字認識する文字認識手段を備えることを特徴とする請求項１に記載の手書きパターン処理装置。
【請求項１１】
入力された手書きパターンが、所定のジェスチャーパターンであるか判定するジェスチャー判定工程と、
繰り返し出力する文字を特定する特定工程と、
前記ジェスチャー判定工程により前記入力された手書きパターンが前記所定のジェスチャーパターンであると判定された場合、前記ジェスチャーパターンであると判定された手書きパターンの長さに基づいて、繰り返し出力する文字数を決定する決定工程と、
前記決定工程で決定された文字数だけ、前記特定工程で特定された文字を繰り返し出力する出力工程と
を備えることを特徴とする手書きパターン処理方法。
【手続補正３】
【補正対象書類名】明細書
【補正対象項目名】０００１
【補正方法】変更
【補正の内容】
【０００１】
【発明の詳細な説明】
【発明の属する技術分野】
本発明は、ペンで書かれる手書き文字の筆跡等の手書きパターンを処理する手書きパターン処理装置及び手書きパターン処理方法に関するものである。


【手続補正４】
【補正対象書類名】明細書
【補正対象項目名】０００７
【補正方法】変更
【補正の内容】
【０００７】
本発明は上記従来の問題点に鑑み、同一文字の連続複数入力を簡単に行うことができる手書きパターン処理装置及び手書きパターン処理方法を提供することを目的とする。


【手続補正５】
【補正対象書類名】明細書
【補正対象項目名】０００８
【補正方法】変更
【補正の内容】
【０００８】
【課題を解決するための手段】
上記目的を達成するために、本発明の手書きパターン処理装置は、手書きパターンを入力する入力手段と、前記入力された手書きパターンが、所定のジェスチャーパターンであるか判定するジェスチャー判定手段と、繰り返し出力する文字を特定する特定手段と、前記ジェスチャー判定手段により前記入力された手書きパターンが前記所定のジェスチャーパターンであると判定された場合、前記ジェスチャーパターンであると判定された手書きパターンの長さに基づいて、繰り返し出力する文字数を決定する決定手段と、前記決定手段で決定された文字数だけ、前記特定手段で特定された文字を繰り返し出力する出力手段とを備えることを特徴とする。
本発明の手書きパターン処理方法は、入力された手書きパターンが、所定のジェスチャーパターンであるか判定するジェスチャー判定工程と、繰り返し出力する文字を特定する特定工程と、前記ジェスチャー判定工程により前記入力された手書きパターンが前記所定のジェスチャーパターンであると判定された場合、前記ジェスチャーパターンであると判定された手書きパターンの長さに基づいて、繰り返し出力する文字数を決定する決定工程と、前記決定工程で決定された文字数だけ、前記特定工程で特定された文字を繰り返し出力する出力工程とを備えることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１７
【補正方法】変更
【補正の内容】
【００１７】
図１は、本発明の第１実施形態に係る手書きパターン処理装置の主要機能部分の構成を示す機能ブロック図である。


【手続補正１４】
【補正対象書類名】明細書
【補正対象項目名】００７３
【補正方法】変更
【補正の内容】
【００７３】
なお、本発明は、複数の機器から構成されるシステムに適用しても、１つの機器からなる手書きパターン処理装置に適用してもよい。また、本発明は、システムあるいは手書きパターン処理装置にプログラムを供給することによって達成される場合にも適用できることはいうまでもない。この場合、本発明を達成するためのソフトウェアによって表されるプログラムを格納した記憶媒体を該システムあるいは手書きパターン処理装置に読み出すことによって、そのシステムあるいは手書きパターン処理装置が、本発明の効果を享受することが可能となる。


【手続補正１５】
【補正対象書類名】明細書
【補正対象項目名】００７４
【補正方法】変更
【補正の内容】
【００７４】
【発明の効果】
以上詳述したように、本発明によれば、連続して同じ文字を入力する場合、その文字数に応じた長さのジェスチャーパターンを入力すれば、簡単に複数の文字を指定数だけ入力することができる。これにより、例えば繰り返し同様な数値を複数入力する場面で、装置の使い易さを著しく向上させる。


【手続補正１６】
【補正対象書類名】明細書
【補正対象項目名】００７５
【補正方法】削除
【補正の内容】
【手続補正１７】
【補正対象書類名】明細書
【補正対象項目名】００７６
【補正方法】削除
【補正の内容】
【手続補正１８】
【補正対象書類名】明細書
【補正対象項目名】００７７
【補正方法】削除
【補正の内容】